(57)【要約】      （修正有）【課題】農業用地でも容易に設置できる農作物育成棚及びそれを用いた農作物収穫システムを提供する。【解決手段】農業用地２に直に複数個のブロック７を間隔をあけて設置し、各ブロック７に左右一対のレール３，４を支持体８を介してそれぞれ独立に載置する農作物育成棚１と、棚板１７に載置した農作物５を収穫するためのコンベアと、農作物育成棚１とコンベアとの間で棚板１７を搬送するための搬送装置とを設けることにした農作物収穫システム。【選択図】図１
2011172559.tif 000002
【特許請求の範囲】
【請求項１】
農業用地にレールを設置するとともに、レールに農作物を育成するための複数台のラックを移動可能に載設した農作物育成棚において、
農業用地に直に複数個のブロックを間隔をあけて設置し、各ブロックに左右一対のレールを支持体を介してそれぞれ独立に載置したことを特徴とする農作物育成棚。
【請求項２】
円形断面を有するレールの中心に向けて傾斜する左右一対の転動輪をラックに設けたことを特徴とする請求項１に記載の農作物育成棚。
【請求項３】
農業用地に設置したレールに農作物を育成するための複数台のラックを移動可能に載設して構成した農作物育成棚を用いて育成した農作物を収穫する農作物収穫システムにおいて、
農作物育成棚は、農業用地に直に複数個のブロックを間隔をあけて設置し、各ブロックに左右一対のレールを支持体を介してそれぞれ独立に載置し、レールに載設したラックに農作物を載置する棚板を着脱自在に設け、
複数枚の棚板を移送するとともに作業者によって棚板に載置した農作物を収穫するためのコンベアと、農作物育成棚とコンベアとの間で棚板を搬送するための搬送装置とを設けたことを特徴とする農作物収穫システム。
【発明の詳細な説明】
【技術分野】
【０００１】
本発明は、農業用地に設置したレールに農作物を育成するための複数台のラックを移動可能に載設した農作物育成棚及び同農作物育成棚を用いて育成した農作物を収穫する農作物収穫システムに関するものである。
【背景技術】
【０００２】
従来より、椎茸の菌床栽培等の農作物の育成においては、農作物育成棚を用いて農作物を育成し、育成した農作物を収穫するようにしている。
【０００３】
この農作物育成棚は、凸凹のある農業用地にコンクリートで平坦な基礎土台を形成し、基礎土台にレールを設置し、レールに農作物を育成するための複数台のラックを移動可能に載設して構成している（たとえば、特許文献１参照。）。
【０００４】
そして、ラックに複数段の棚板を設け、各棚板に複数の農作物を載置し、所定期間所定条件下で農作物を育成させ、その後、作業者が各棚板から農作物を手作業で取出して収穫するようにしている。
【先行技術文献】
【特許文献】
【０００５】
【特許文献１】実開平４−１３６０３７号公報
【発明の概要】
【発明が解決しようとする課題】
【０００６】
ところが、上記従来の農作物育成棚では、農業用地にコンクリートで基礎土台を形成しなければならず、農作物育成棚の設置や交換や除去を行う場合に、多大な労力や期間や費用を要するものであった。
【０００７】
また、上記従来の農作物育成棚を用いて農作物を収穫する場合には、作業者が手作業で棚板から農作物を取出すといった作業が必要であり、農作物の収穫において作業者に多大な身体的苦労を強制するものであった。
【課題を解決するための手段】
【０００８】
そこで、請求項１に係る本発明では、農業用地にレールを設置するとともに、レールに農作物を育成するための複数台のラックを移動可能に載設した農作物育成棚において、農業用地に直に複数個のブロックを間隔をあけて設置し、各ブロックに左右一対のレールを支持体を介してそれぞれ独立に載置することにした。
【０００９】
また、請求項２に係る本発明では、前記請求項１に係る本発明において、円形断面を有するレールの中心に向けて傾斜する左右一対の転動輪をラックに設けることにした。
【００１０】
また、請求項３に係る本発明では、農業用地に設置したレールに農作物を育成するための複数台のラックを移動可能に載設して構成した農作物育成棚を用いて育成した農作物を収穫する農作物収穫システムにおいて、農作物育成棚は、農業用地に直に複数個のブロックを間隔をあけて設置し、各ブロックに左右一対のレールを支持体を介してそれぞれ独立に載置し、レールに載設したラックに農作物を載置する棚板を着脱自在に設け、複数枚の棚板を移送するとともに作業者によって棚板に載置した農作物を収穫するためのコンベアと、農作物育成棚とコンベアとの間で棚板を搬送するための搬送装置とを設けることにした。
【発明の効果】
【００１１】
そして、本発明では、以下に記載する効果を奏する。
【００１２】
すなわち、本発明では、農業用地にレールを設置するとともに、レールに農作物を育成するための複数台のラックを移動可能に載設した農作物育成棚において、農業用地に直に複数個のブロックを間隔をあけて設置し、各ブロックに左右一対のレールを支持体を介してそれぞれ独立に載置することにしているために、凹凸のある農業用地にコンクリート等の基礎土台を形成することなく農作物育成棚を設置することができ、農作物育成棚の設置に要する労力や期間や費用を軽減することができる。
【００１３】
特に、円形断面を有するレールの中心に向けて傾斜する左右一対の転動輪をラックに設けることにした場合には、レールの頂上部に農業用地の土砂が山積してしまうおそれがなく、たとえレールの頂上部に土砂があってもラックを円滑に移動させることができるので、農作物育成棚の使い勝手を向上させることができる。
【００１４】
また、本発明では、農業用地に設置したレールに農作物を育成するための複数台のラックを移動可能に載設して構成した農作物育成棚を用いて育成した農作物を収穫する農作物収穫システムにおいて、農作物育成棚は、農業用地に直に複数個のブロックを間隔をあけて設置し、各ブロックに左右一対のレールを支持体を介してそれぞれ独立に載置し、レールに載設したラックに農作物を載置する棚板を着脱自在に設け、複数枚の棚板を移送するとともに作業者によって棚板に載置した農作物を収穫するためのコンベアと、農作物育成棚とコンベアとの間で棚板を搬送するための搬送装置とを設けることにしているために、農作物の収穫時に作業者が棚板から農作物を取出す作業が必要なくなり、農作物の収穫作業に要する作業者の負担を軽減することができる。
【図面の簡単な説明】
【００１５】
【図１】農作物育成棚を示す正面図。
【図２】同側面図。
【図３】車輪を示す一部断面正面図。
【図４】同側面図。
【図５】支持体を示す一部断面正面図。
【図６】同側面図。
【図７】ラックを示す平面図（ａ）、正面図（ｂ）、断面側面図（ｃ）。
【図８】農作物育成棚を用いた農作物収穫システムを示す平面説明図。
【図９】農作物収穫システムを示す斜視説明図。
【発明を実施するための形態】
【００１６】
以下に、本発明に係る農作物育成棚及び同農作物育成棚を用いた農作物収穫システムの具体的な構成について図面を参照しながら説明する。
【００１７】
図１及び図２に示すように、農作物育成棚１は、農業用地２に設置した左右一対のレール3,4に農作物５を育成するための複数台（ここでは、６台）のラック６をレール3,4の伸延方向に沿って移動可能に載設している。なお、ここでいう農業用地２は、農業用途で使用される土地を指し、農地や宅地などを含むものである。
【００１８】
この農作物育成棚１は、凹凸のある農業用地に直に複数個（ここでは、６個）のブロック７を前後及び左右に間隔をあけて設置し、各ブロック７の上部にレール3,4を支持体８を介して独立に載置している。
【００１９】
ここで、左右のレール3,4は、図３及び図４に示すように、円形断面を有する中空円筒で軽量でありながら剛性を保持する構造となっており、しかも、前端部間及び後端部間に矩形パイプ状の連結体9,10を架設して矩形枠を構成して、変形の防止や強度の増大を図るとともに、前後端部の連結体9,10でラック６の移動を阻止してラック６の脱落防止を図っている。
【００２０】
支持体８は、円板状の座体11の中央上部に支柱12を立設し、支柱12を各レール3,4の下端部に上下移動可能に螺着して高さ調節可能とし、左右のレール3,4を水平かつ同一面上に形成できるようにしている。
【００２１】
支持体８は、図５及び図６に示すような構成とすることもできる。この支持体８では、ブロック７の上部に底板33を設置し、底板33の左右端部に側板34,35を取付け、側板34,35の上端に天井板36,37を取付け、左右の天井板36,37の下方間に支持板38を吊具としてのボルト39,40で吊設し、支持板38でレール４を高さ調節可能に支持している。
【００２２】
また、農作物育成棚１は、図１及び図２に示すように、左右のレール3,4の上部に各ラック６をそれぞれ独立して移動可能に載設し、ラック６を移動させることで前後のラック6,6の間に作業用のスペースを形成できるようになっている。
【００２３】
ここで、ラック６は、横長矩形板状の天板13と底板14の四隅間に支柱15を介設し、前後の支柱15,15の内側間にＬアングル状の横桟16を取付け、左右の横桟16の上部間に横長矩形板状の棚板17を載置している。
【００２４】
棚板17は、上部に農作物５を載置するものであり、左右の支柱15,15の間隔よりも横幅を狭くして、ラック６から前後方向に移動させることで着脱できるようになっている。
【００２５】
ラック６は、図７に示すような構成とすることもできる。このラック６は、支柱15に係止ピンとしてのボルト41を高さ方向に間隔をあけて着脱自在に装着する一方、左右一対の横桟42,42の間に複数本の棚桿43を前後方向に間隔をあけて取付けて棚板44を構成し、各横桟42に逆Ｖ字状の切欠45を形成し、その切欠45をボルト41に引っ掛けることで前後方向のずれを吸収して支柱15に棚板44を係止できるようにしている。
【００２６】
このラック６は、底板14の左右下部に車輪18を前後に間隔をあけて取付けており、各車輪18をレール3,4の上部に載置している。
【００２７】
車輪18は、図３及び図４に示すように、底板14の下部に基体19の上端部を取付け、基体19の下部に左右一対の車軸（ボルト）20,21をそれぞれ反対方向に傾斜させたハ字状に取付け、各車軸20,21に転動輪22,23を回動自在に取付けている。
【００２８】
これにより、車輪18は、円形断面を有するレール3,4の中心に向けて逆ハ字状に傾斜させた状態で左右一対の転動輪22,23が取付けられており、レール3,4の頂上部（上端部）ではなく左右上部で転動輪22,23が転動するようにしている。なお、車輪18は、レール3,4の前後端部において転動輪22,23がレール3,4の連結体9,10に当接することでラック６の移動を阻止するようになっている。
【００２９】
また、車輪18は、各車軸20,21を基体19に形成した中空部24で締結体（ナット）25,26で固定して、外部から締結体25,26に不意に障害物等が衝突して締結体25,26が外れてレール3,4からラック６が脱落するのを防止し、また、基体19の左右側部に各転動輪22,23の上方を被覆するカバー27,28を形成して、転動輪22,23を保護している。
【００３０】
農作物育成棚１は、以上に説明したように、農業用地２に直に複数個のブロック７を間隔をあけて設置し、各ブロック７に左右一対のレール3,4を支持体８を介してそれぞれ独立に載置した構成となっている。
【００３１】
そのため、上記構成の農作物育成棚１では、凹凸のある農業用地２にコンクリート等の基礎土台を形成することなく農作物育成棚１を設置することができるので、農作物育成棚１の設置に要する労力や期間や費用を軽減することができる。
【００３２】
また、上記農作物育成棚１は、円形断面を有するレール3,4の中心に向けて傾斜する左右一対の転動輪22,23をラック６に設けた構成となっている。
【００３３】
そのため、上記構成の農作物育成棚１では、レール3,4の頂上部に農業用地２の土砂が山積してしまうおそれがなく、たとえレール3,4の頂上部に土砂があってもその土砂に転動輪22,23が乗り上げてしまうことがないので、ラック６を円滑に移動させることができ、農作物育成棚１の使い勝手を向上させることができる。
【００３４】
そして、上記農作物育成棚１は、これを用いて育成した農作物５を収穫するための農作物収穫システム29を構築することができる。
【００３５】
この農作物収穫システム29では、図８に示すように、上記農作物育成棚１とともにコンベア30と搬送装置31とを農業用地２に設置する。
【００３６】
コンベア30は、複数枚（ここでは、３枚）の棚板17を順に移送することができ、側方において作業者32が棚板17に載置した農作物５を収穫することができる構造となっている。
【００３７】
搬送装置31は、農作物育成棚１とコンベア30との間で棚板17を搬送（搬入及び搬出）することができるフォークリフト型の構造となっており、農作物育成棚１のラック６から棚板17を一枚ずつ取出してコンベア30の上流端に搬入し、作業者32による農作物５の収穫作業を終えた棚板17をコンベア30の下流端から農作物育成棚１のラック６に搬出するようにしている。
【００３８】
農作物収穫システム29は、図９に示すような構成とすることもできる。この農作物収穫システム29は、上記農作物育成棚１を左右に間隔をあけて配置するとともに、各農作物育成棚２の前方に搬送装置46を配置し、搬送装置46の前方にコンベア47を配置し、左右のコンベア47,47の間に水切り用コンベア48を配置している。
【００３９】
搬送装置46は、基枠49に昇降機構50を取付け、昇降機構50に昇降体51を取付け、昇降体51の左右端部にアーム52,52を移動機構53を介して前後に移動可能に取付けている。
【００４０】
水切り用コンベア48は、基枠54にコンベア台55を傾倒機構56を介して後方へ向けて90度回転可能に取付け、コンベア台55の後部に柵57を取付けている。
【００４１】
そして、この農作物収穫システム29では、左側の搬送装置46によって農作物育成棚１のラック６から棚板17を一枚ずつ取出してコンベア47の上部に搬入し、その後、水切り用コンベア48によって棚板17ごと後方へ90度回転させることで農作物５の水切りを行い、その後、右側の搬送装置46によって棚板17をコンベア47の上部から農作物育成棚１のラック６に搬出するようにしている。
【００４２】
その際に、農作物収穫システム29では、一方の農作物育成棚１のラック６の上方（下方）から順に取出した棚板17を他方の農作物育成棚１のラック６の下方（上方）から順に収容していき、棚板17の上下の順番を逆向きに変更するようにしている。これにより、農作物５の育成条件（酸素濃度や温度など）を均等化することができ、農作物５を均一に育成させることができる。
【００４３】
このように、上記農作物収穫システム29は、農業用地２に設置したレール3,4に農作物５を育成するための複数台のラック６を移動可能に載設して構成した農作物育成棚１を用いて育成した農作物５を収穫するためのものであり、農作物育成棚１は、農業用地２に直に複数個のブロック７を間隔をあけて設置し、各ブロック７に左右一対のレール3,4を支持体８を介してそれぞれ独立に載置し、レール3,4に載設したラック６に農作物５を載置する棚板17を着脱自在に設け、複数枚の棚板17を移送するとともに作業者32によって棚板17に載置した農作物５を収穫するためのコンベア30と、農作物育成棚１とコンベア30との間で棚板17を搬送するための搬送装置31とを設けた構成となっている。
【００４４】
そのため、上記構成の農作物収穫システム29では、農作物５の収穫時に作業者32が棚板17から農作物５を取出す作業が必要なくなり、農作物５の収穫作業に要する作業者32の負担を軽減することができる。
【符号の説明】
【００４５】
１  農作物育成棚                        ２  農業用地
3,4  レール                             ５  農作物
６  ラック                              ７  ブロック
８  支持体                              9,10  連結体
11  座体                                12  支柱
13  天板                                14  底板
15  支柱                                16  横桟
17  棚板                                18  車輪
19  基体                                20,21  車軸
22,23  転動輪                           24  中空部
25,26  締結体                           27,28  カバー
29  農作物収穫システム                  30  コンベア
31  搬送装置                            32  作業者
33  底板                                34,35  側板
36,37  天井板                           38  支持板
39,40  ボルト                           41  ボルト
42  横桟                                43  棚桿
44  棚板                                45  切欠
46  搬送装置                            47  コンベア
48  水切り用コンベア                    49  基枠
50  昇降機構                            51  昇降体
52  アーム                              53  移動機構
54  基枠                                55  コンベア台
56  傾倒機構                            57  柵
【図１】
2011172559.tif 000003
【図２】
2011172559.tif 000004
【図３】
2011172559.tif 000005
【図４】
2011172559.tif 000006
【図５】
2011172559.tif 000007
【図６】
2011172559.tif 000008
【図７】
2011172559.tif 000009
【図８】
2011172559.tif 000010
【図９】
2011172559.tif 000011